(57)【特許請求の範囲】
【請求項１】
フィルム収容手段と、フィルム取出手段と、蓋手段を備えた容器に多数の金箔付きフィルムを積層収納した金箔パッケージであって、
フィルム収容手段は、平坦な底板部と、底板部の上面側に配設された枠部を備え、
枠部は、金箔付きフィルムの外形形状より少し大きな寸法であり、
金箔付きフィルムは、プラスチックフィルムの片面に金箔が付着しており、フィルム収容手段の枠部内に金箔面を下にして多数積層されて収容され、
フィルム取出手段は、フィルム収容手段に接続されたピックアップ可動片と、弱粘着パッドを備え、
ピックアップ可動片は、枠部内に収容された金箔付きフィルム積層体上に伏して重なる折りたたみ状態と、当該積層体から離れて立ち上がる展開状態とに変位可能であり、
弱粘着パッドは、折りたたみ状態のピックアップ可動片が金箔付きフィルムの中央部分に接する位置に配設され、金箔付きフィルムのプラスチックフィルム面に軽度に粘着可能であり、
蓋手段は、折りたたみ状態のピックアップ可動片とともに、枠部内に収容された金箔付きフィルム積層体を覆い隠すことが可能であり、
蓋手段は、フィルム収容手段に接続された剥離紙付き可動片を含み、
剥離紙付き可動片は、折りたたみ状態のピックアップ可動片の下に位置させることが可能で、その状態において、弱粘着パッドが剥離紙に当接する
金箔パッケージ。
【請求項２】
各金箔付きフィルムの間にセパレータシートが挟み込まれている
請求項１に記載の金箔パッケージ。
【請求項３】
ピックアップ可動片は、蓋手段の一部を構成している
請求項１または２に記載の金箔パッケージ。
【請求項４】
ピックアップ可動片は、その先端側に摘み部を備えている
請求項１〜３のいずれかに記載の金箔パッケージ。
【請求項５】
底板部・枠部・金箔付きフィルムは、四角形であり、
ピックアップ可動片と剥離紙付き可動片は、四角形のフィルム収容手段の対向する２辺にそれぞれ接続され、
蓋手段は、四角形のフィルム収容手段の他の対向２辺に接続されたひと組みの蓋主片を備える
請求項１〜４のいずれかに記載の金箔パッケージ。
【発明の詳細な説明】
【技術分野】
【０００１】
この発明は、金箔付きフィルムを多数積層して小箱に収納した金箔パッケージに関し、とくに、小箱から金箔付きフィルムを取り出して対象物に金箔を貼りつける作業がやりやすくなるように工夫した金箔パッケージに関する。
【背景技術】
【０００２】
この種の金箔パッケージは、一般の人々がさまざまな目的で金箔を利用できるように企画された製品である。インテリアやテーブルウエアを装飾する目的で金箔を物品に貼りつけたり、美容や健康の目的で金箔を皮膚に貼りつけることが行われる。
【０００３】
金箔付きフィルムは、プラスチックフィルムの片面に０.１〜０.３μｍほどの金箔を付着させたものである。多数の金箔付きフィルムを間にセパレータシート（和紙）を挟み込んで積層し、小箱に収納している。金箔を利用する際には、金箔付きフィルムを小箱から取り出し、フィルムの金箔面を物品や皮膚などに当接し、金箔を対象物の表面に貼りつけてフィルムだけを取り除く。
【特許文献１】特開昭６３−２２５６９９号公報
【発明の開示】
【発明が解決しようとする課題】
【０００４】
一般の人々は金箔の取り扱いには慣れていないので、小箱から金箔付きフィルムを一枚取り出そうとしたとたん、フィルムに付着していた金箔を崩壊させてしまうことがある。金箔をフィルムに付着させているのは、金箔の取り扱い性を向上させるためであるが、それでも注意深く静かに作業しないと、金箔を無傷のまま完全な形で対象物表面まで持っていくことは難しい。専門の職人であれば、金箔の振る舞い方を熟知しているので、フィルム無しで和紙の間に挟まれている単独の金箔であっても、これを傷つけずにうまく取り扱えるが、一般の人にとってはフィルムに付着した金箔を取り扱うのにも細心の注意を要する。このことを改善して、金箔の取り扱い性を向上させないと、この種の金箔パッケージの利用促進は望めない。
【課題を解決するための手段】
【０００５】
この発明に係る金箔パッケージは、基本的に、つぎの事項（１）〜（10）により特定される構成を備えたものである。 
（１）フィルム収容手段と、フィルム取出手段と、蓋手段を備えた容器に多数の金箔付きフィルムを積層収納した金箔パッケージであること
（２）フィルム収容手段は、平坦な底板部と、底板部の上面側に配設された枠部を備えること
（３）枠部は、金箔付きフィルムの外形形状より少し大きな寸法であること
（４）金箔付きフィルムは、プラスチックフィルムの片面に金箔が付着しており、フィルム収容手段の枠部内に金箔面を下にして多数積層されて収容されること
（５）フィルム取出手段は、フィルム収容手段に接続されたピックアップ可動片と、弱粘着パッドを備えること
（６）ピックアップ可動片は、枠部内に収容された金箔付きフィルム積層体上に伏して重なる折りたたみ状態と、当該積層体から離れて立ち上がる展開状態とに変位可能であること
（７）弱粘着パッドは、折りたたみ状態のピックアップ可動片が金箔付きフィルムの中央部分に接する位置に配設され、金箔付きフィルムのプラスチックフィルム面に軽度に粘着可能であること
（８）蓋手段は、折りたたみ状態のピックアップ可動片とともに、枠部内に収容された金箔付きフィルム積層体を覆い隠すことが可能であること
（９）蓋手段は、フィルム収容手段に接続された剥離紙付き可動片を含むこと
（10）剥離紙付き可動片は、折りたたみ状態のピックアップ可動片の下に位置させることが可能で、その状態において、弱粘着パッドが剥離紙に当接すること
【発明の効果】
【０００６】
この発明に係る金箔パッケージにおいては、折りたたみ状態のピックアップ可動片の弱粘着パッドが金箔付きフィルム積層体の一番上のフィルムに軽度に粘着する。その状態でピックアップ可動片を静かに展開状態に変位させると、金箔付きフィルムにまったく手指を触れることなく、一枚の金箔付きフィルムをフィルム収納手段から取り出すことができる。つぎにピックアップ可動片にくっついた状態の金箔付きフィルムを指先でつかみ取り、その金箔面を対象物の表面に当接させ、金箔を対象物に貼りつけることができる。なお、パッケージ全体を対象物に近づければ、フィルムに指を触れずに金箔を対象物に貼りつけることも可能である。
【発明を実施するための最良の形態】
【０００７】
＝＝＝全体の概要＝＝＝
図１〜図５は、この発明の一実施例による金箔パッケージを示している。図１は蓋手段を完全に閉じた状態を示し、図２は蓋手段の一部を開放した状態を示し、図３は蓋手段を完全に開放した状態を示し、図４は金箔付きフィルムを取り出す最初の段階を示し、図５は一枚の金箔付きフィルムを取り出した段階を示す。
【０００８】
各図に示すように、フィルム収容手段を構成する底板部１と枠部２は長方形である。底板部１の一方の短辺には第１蓋主片３が接続している。底板部１の他方の短辺には第２蓋主片４が接続している。枠部２の右側の長辺には第１蓋副片５が接続している。枠部２の左側の長辺には第２蓋副片６が接続している。これらのパッケージ構造体は、適度な柔軟性と保形性を兼ね備えた紙材料により折り紙細工により形成されている。
【０００９】
底板部１と枠部２により形成された長方形のトレイ状の空間（これを容器空間とする）に、長方形の金箔付きフィルム７が多数積層されて収納されている。明快に図示することが困難なので作図上の表現を省略しているが、金箔付きフィルム７は、プラスチックフィルムの片面に金箔を付着させたものである。金箔付きフィルム７は、金箔面を下にして容器空間に収納される。各金箔付きフィルム７の間にはセパレータシートとしての和紙が挟み込まれている。容器空間内の金箔付きフィルム７の積層体の一番下にも和紙が配置されている。
【００１０】
＝＝＝蓋手段の構成＝＝＝
容器空間の左側長辺に接続された第２蓋副片６は、図２に示すように容器空間内の金箔付きフィルム積層体の上に伏して重なる折りたたみ状態と、図３に示すように当該積層体から離れて立ち上がる展開状態とに変位可能である。
【００１１】
同様に、容器空間の左側長辺に接続された第１蓋副片５は、図４に示すように容器空間内の金箔付きフィルム積層体の上に伏して重なる折りたたみ状態と、図３や図５に示すように当該積層体から離れて立ち上がる展開状態とに変位可能である。
【００１２】
第１蓋副片５は、前述した「ピックアップ可動片」に相当するものである。第１蓋副片５の先端辺の中央部分には摘み部５１が形成されている。図４に示す折りたたみ状態の第１蓋副片５が金箔付きフィルム７の中央部分に接する位置に、小さな円形の弱粘着パッド５２が配設されている。
【００１３】
第２蓋副片６は、前述した「剥離紙付き可動片」に相当するものである。蓋手段を閉じておく非使用状態では、図２に示すように、先に第２蓋副片６を折りたたみ状態にし、その上に重なるように第１蓋副片５を折りたたみ状態とする。この場合、第１蓋副片５の弱粘着パッド５２が第２蓋副片６に当接するわけだが、この状態で弱粘着パッド５２が第２蓋副片６にくっついて剥がれにくくならないように、第２蓋副片６のこの位置に剥離紙６１が配設されている。
【００１４】
蓋手段を閉じておく非使用状態では、図２のように、まず第２蓋副片６を閉じ、つぎに第１蓋副片５を閉じ、つぎに第２蓋主片４を閉じ、最後に第１蓋主片３を閉じ、第１蓋主片３の先端の舌片３１を第２蓋主片４のスリット４１に差し込む。このようにして底板部１と枠部２で構成された容器空間が４枚の蓋片で四重に覆い隠され、容器空間内の金箔付きフィルム積層体を安定に収納して保全する。
【００１５】
＝＝＝使用方法＝＝＝
使用に際しては、まず図３に示すように、第１蓋主片３・第２蓋主片４・第１蓋副片５・第２蓋副片６をすべて展開状態にして長方形の容器空間の上面をフルオープン状態とする。そして容器空間内の金箔付きフィルム積層体の上の和紙を取り除き、図４に示すように、第１蓋副片４のみを折りたたみ状態にする。すると、第１蓋副片５の弱粘着パッド５２が一番上の金箔付きフィルム７にくっつく。ここで第１蓋副片５の摘み部５１を手指でつかみ、静かに第１蓋副片５を展開状態に変位させる。これで図５に示すように、一枚の金箔付きフィルム７が第１蓋副片５に支えられて平坦状態を保ちながら容器空間から取り出されてくる。
【００１６】
このように、取り出される金箔付きフィルム７に手指は触れないし、金箔付きフィルム７の金箔面と反対側に第１蓋副片５をあてがって平坦状態に支えているので、最初に説明したように金箔があっという間に崩壊してしまうという現象を生じにくくなる。
【００１７】
この後は、図５の状態の金箔パッケージ全体をたとえば頬に近づけ、第１蓋副片５にくっついている金箔付きフィルム７の金箔面を皮膚に当接し、第１蓋副片５の側から軽く押さえつけると、ほとんど無傷の状態で金箔が皮膚に貼りつき、第１蓋副片にフィルムだけをくっつけたまま取り去ることができる。
【００１８】
また、図５の状態の金箔パッケージにおいて、第１蓋副片５にくっついている金箔付きフィルム７の金箔のない部分を指先でつまんで第１蓋副片５から引き離す方法でも、金箔付きフィルム７がすでに容器空間から完全に脱却しているので、静かにやれば、金箔を崩壊させずにすむ。
【００１９】
＝＝＝他の実施形態＝＝＝
（ａ）折り紙細工パッケージは、実施例の構造以外にもさまざまに実施可能である。  
（ｂ）折り紙細工パッケージに代えて、コンパクト容器のようなプラスチック製のパッケージを用いることができる。  
（ｃ）プラスチック製パッケージを用いる場合には、四角形以外の容器空間を形成することが容易なので、たとえば容器空間を円形とし、円形に裁断した金箔付きフィルムを積層収納することができる。  
（ｄ）容器空間の形態によっては、ピックアップ可動片は蓋手段の一部とはいえない形態を採ることもある。
【図面の簡単な説明】
【００２０】
【図１】この発明の一実施例による金箔パッケージの状態１（蓋手段を完全に閉じた状態）の斜視図である。
【図２】同じく状態２（蓋手段の一部を開放した状態）の斜視図である。
【図３】同じく状態３（蓋手段を完全に開放した状態）の斜視図である。
【図４】同じく状態４（金箔付きフィルムを取り出す最初の段階）の斜視図である。
【図５】同じく状態５（一枚の金箔付きフィルムを取り出した段階）の斜視図である。
【符号の説明】
【００２１】
１  底面部
２  枠部
３  第１蓋主片
４  第２蓋主片
５  第１蓋副片（ピックアップ可動片）
５１  摘み部
５２  弱粘着パッド
６  第２蓋副片（剥離紙付き可動片）
６１  剥離紙
７  金箔付きフィルム
【図１】
0005069527.tif 000002
【図２】
0005069527.tif 000003
【図３】
0005069527.tif 000004
【図４】
0005069527.tif 000005
【図５】
0005069527.tif 000006